(57)【要約】  表示ユニット（１０）は、ケース（４０）と、ケース内に配置された回路基板（２０）と、回路基板に実装された複数の発光素子（３０）と、照明光や太陽光等の外光が回路基板に入射することを抑制するルーバ（５０）と、を備えている。ケースは、開口部（４２）を有しており、ルーバは、ケースの開口部を覆うように設けられている。ルーバは、ケースの開口部を覆う基端部（５１）と、基端部に設けられる第１延出部（６１）と、を有している。第１延出部は、ケースの外面よりも外側まで延出するように構成されている。
2019186795.tif 000002
【特許請求の範囲】
【請求項１】
開口部を有するケースと、  前記ケース内に配置された回路基板と、  前記回路基板に実装された複数の発光素子と、  前記ケースの前記開口部を覆う基端部および前記基端部に設けられる延出部を有する反射抑制部材と、を備え、  前記延出部は、前記ケースの外面より外側まで延出する  ことを特徴とする表示ユニット。
【請求項２】
前記反射抑制部材は、前記延出部を複数有するものであり、  前記複数の延出部は、前記基端部の対向する２辺に、前記基端部の厚さ方向において互いに異なる位置にそれぞれ設けられる  ことを特徴とする請求項１に記載の表示ユニット。
【請求項３】
請求項１または２に記載の前記表示ユニットを備える  ことを特徴とする表示装置。
【請求項４】
請求項１または２に記載の前記表示ユニットを備え、  前記表示ユニットは、前記延出部の少なくとも一部が、前記基端部の鉛直方向上方または鉛直方向下方に位置するように配置される  ことを特徴とする表示装置。
【請求項５】
請求項２に記載の前記表示ユニットを複数組み合わせて備え、  互いに隣接する前記表示ユニットは、一方の前記表示ユニットを構成する前記延出部と、他方の前記表示ユニットを構成する前記延出部が、前記基端部の厚さ方向において、互いに対向するように配置される  ことを特徴とする表示装置。
【請求項６】
一方の前記表示ユニットを構成する前記延出部と、他方の前記表示ユニットを構成する前記延出部は、前記基端部の厚さ方向において、隙間を空けて対向している  ことを特徴とする請求項５に記載の表示装置。
【発明の詳細な説明】
【技術分野】
【０００１】  本発明は、表示ユニットおよび表示装置に関する。
【背景技術】
【０００２】  表示装置は、支持フレームに複数の表示ユニットをマトリクス状に配列して構成される。表示ユニットは、複数の発光素子をマトリクス状に配列して構成され、入力される制御信号に応じて、文字および図形等の画像を表示する。【０００３】  このような表示装置では、隣接する表示ユニット間に予め設計された隙間が設けられている（例えば、特許文献１）。このような隙間は、主に、取り付け作業または保守メンテナンス作業における作業効率を向上させるために設けられている。
【先行技術文献】
【特許文献】
【０００４】
【特許文献１】特開２０１７−１８７７１０号公報（段落［０００５］参照）
【発明の概要】
【発明が解決しようとする課題】
【０００５】  ところで、表示装置が配置される環境条件によっては、隣接する表示ユニット間に設けられた隙間を通じて、水または砂塵等の異物が表示装置の内部に侵入することがある。水または砂塵等の異物が表示装置の内部に侵入すると、表示装置の内部の部材の腐食または劣化を引き起こすおそれがある。【０００６】  また、表示装置が配置される環境条件によっては、表示ユニット間に設けられた隙間を通じて、太陽光または照明光等の外光が表示装置の内部に入射することがある。外光が表示装置の内部に入射すると、表示装置の内部の部材の劣化を引き起こすおそれがある。【０００７】  さらに、表示装置の内部に入射した外光が、表示ユニットを支持する支持フレームにて反射し、反射光として表示ユニットから外部に出射することもある。この場合、発光素子の発光が反射光の中に埋没し、表示ユニットに表示された画像が視認され難くなってしまうおそれがある。【０００８】  本発明は上述のような課題を解決するためになされたもので、表示装置の内部への異物の侵入または外光の入射を従来よりも抑制することができる表示ユニットおよび表示装置を得ることを目的とする。
【課題を解決するための手段】
【０００９】  本発明にかかる表示ユニットは、開口部を有するケースと、ケース内に配置された回路基板と、回路基板に実装された複数の発光素子と、ケースの開口部を覆う反射抑制部材と、を備え、反射抑制部材は、ケースの外面より外側まで延出する延出部を有する。
【発明の効果】
【００１０】  本発明によれば、表示装置の内部への異物の侵入または外光の入射を従来よりも抑制することができる。
【図面の簡単な説明】
【００１１】
【図１】本発明の実施の形態１にかかる表示装置の構成の一部を示す斜視図である。
【図２】本発明の実施の形態１にかかる表示ユニットを示す正面図である。
【図３】図３（ａ）は、図２のＡ−Ａ線断面図である。図３（ｂ）は、図２のＢ−Ｂ線断面図である。
【図４】本発明の実施の形態１にかかる表示装置の一部を示す上面図である。
【図５】図４の破線枠にて示した領域を拡大して示す上面図である。
【図６】本発明の実施の形態１にかかる表示装置の一部を拡大して示す部分拡大正面図である。
【図７】本発明の実施の形態２にかかる表示ユニットを示す正面図である。
【図８】図７のＤ−Ｄ線断面図である。
【図９】本発明の実施の形態２にかかる表示装置の一部を示す上面図である。
【図１０】図９の破線枠にて示した領域を拡大して示す上面図である。
【図１１】本発明の実施の形態２にかかる表示装置の一部を拡大して示す部分拡大正面図である。
【図１２】本発明の実施の形態３にかかる表示ユニットを示す正面図である。
【図１３】本発明の実施の形態３にかかる表示装置の一部を拡大して示す部分拡大正面図である。
【図１４】（ａ）および（ｂ）は、従来の表示装置を示す斜視図である。
【図１５】本発明の実施の形態４にかかる表示ユニットを示す正面図である。
【図１６】本発明の実施の形態４にかかる表示装置の一部を拡大して示す部分拡大正面図である。
【図１７】本発明のその他の実施の形態にかかる表示ユニットを示す正面図である。
【図１８】本発明のその他の実施の形態にかかる表示装置の一部を拡大して示す部分拡大上面図である。
【図１９】本発明のその他の実施の形態にかかる表示装置の一部を拡大して示す部分拡大上面図である。
【図２０】本発明のその他の実施の形態にかかる表示装置の一部を拡大して示す部分拡大上面図である。
【発明を実施するための形態】
【００１２】  本発明を実施するための形態について添付の図面を参照しながら説明する。なお、各図中、同一または相当する部分には同一の符号を付しており、その重複説明は適宜に簡略化ないし省略する。また説明の便宜上、各図中に示す部分のサイズ、形状の比例関係等が誇張されている場合がある。
【００１３】  （実施の形態１）  図１〜図６を参照しながら、本発明の実施の形態１にかかる表示ユニット１０および表示装置１００について説明する。  図１に示すように、本実施の形態１にかかる表示装置１００は、画像を表示する複数の表示ユニット１０をマトリクス状に配列して構成される。表示ユニット１０および表示装置１００において画像が表示される面を表示面１０１とする。
【００１４】  表示ユニット１０は、支持フレーム２００に取り付けられる。図１では、支持フレーム２００を明示するために表示ユニット１０のうちの一部のみを示している。表示装置１００は、競技場等の屋外または体育館等の屋内に設置される。
【００１５】  なお、以下では、表示装置１００と表示ユニット１０を地面に対して垂直に設置した場合を説明し、表示面１０１を正面から見た場合における左右方向をＸ軸方向、地面に対して垂直な方向をＹ軸方向、Ｘ軸方向とＹ軸方向に対して垂直な方向をＺ軸方向とする。また、表示面１０１を正面から見た場合における右方向をＸ軸正方向、表示面１０１を正面から見た場合における左方向をＸ軸負方向、表示面１０１を正面から見た場合における上方向をＹ軸正方向、表示面１０１を正面から見た場合における下方向をＹ軸負方向とする。Ｚ軸方向に関しては、表示面１０１の裏面から正面に向かう方向をＺ軸正方向、Ｚ軸正方向に反対の方向であって、正面から表示面１０１に向かう方向をＺ軸負方向とする。これらの軸方向の規定は、他の実施の形態においても同様である。
【００１６】  支持フレーム２００は、アルミニウムまたは銅等の金属材料から作成され、Ｘ軸と平行に延びる複数の梁２１０と、Ｙ軸と平行に延びる複数の柱２２０を有する。つまり、複数の梁２１０と複数の柱２２０が格子状に連結されることで、支持フレーム２００が構成される。以上のように構成された支持フレーム２００に複数の表示ユニット１０が取り付けられて、表示装置１００が構成される。
【００１７】  図２は、本実施の形態１にかかる表示ユニット１０をＺ軸負方向から見た正面図を示す。図３（ａ）は図２のＡ−Ａ線断面図を示し、図３（ｂ）は図２のＢ−Ｂ線断面図を示す。
【００１８】  図２、図３（ａ）および図３（ｂ）に示すように、表示ユニット１０は、ケース４０と、ケース４０内に配置される回路基板２０と、回路基板２０の実装面２２に実装された複数の発光素子３０を備える。複数の発光素子３０全体で画像が表示され、各発光素子３０は、画像を構成する画素となる。
【００１９】  回路基板２０は絶縁性の樹脂材料、ガラス材料、またはセラミック材料等から作成され、その実装面２２には発光素子３０に電力を供給する図示しない配線が設けられる。また、回路基板２０の実装面２２には発光素子３０を駆動する図示しない駆動ＩＣ（Ｉｎｔｅｇｒａｔｅｄ  Ｃｉｒｃｕｉｔ）が設けられる。
【００２０】  発光素子３０は、３ｉｎ１型の表面実装型ＬＥＤ素子であり、例えば、回路基板２０の実装面２２に、７列×７列に配列される。発光素子３０は、回路基板２０の駆動ＩＣから供給される電力によって、任意の色の光を任意の強度で発光する。その結果、複数の発光素子３０によって、表示ユニット１０にカラー画像が表示される。
【００２１】  ケース４０は、Ｚ軸正方向に開口した開口部４２を有し、Ｘ軸とＹ軸を含む平面に沿う底部４５と、Ｙ軸とＺ軸を含む平面に沿う側壁４６およびＸ軸とＺ軸を含む平面に沿う側壁４６を備える筐体であり、ポリカーボネート樹脂またはアクリル樹脂等の樹脂材料から作成される。また、ケース４０においては、回路基板２０が配置される面を内面４７とし、ケース４０の外部に露出する面を外面４１とする。
【００２２】  ケース４０には、発光素子３０が実装された回路基板２０が、実装面２２をＺ軸正方向に向けて配置される。実装面２２は、防水保護のため、充填剤２３で覆われている。充填剤２３は、撥水性があるエポキシ樹脂等から作成される。
【００２３】  また、ケース４０には、ルーバ５０（特許請求の範囲における「反射抑制部材」に相当）が設けられている。上述したように、回路基板２０には配線が設けられているため、回路基板２０に外光が入射すると、配線で反射し、反射光として視認されてしまう。ルーバ５０は、回路基板２０への外光の入射を遮ることで、反射光の発生を抑制する。
【００２４】  ルーバ５０は、黒色の樹脂から射出成型によって作成されていることが好ましい。さらに、太陽光または照明光等の外光の反射を効率よく抑制するため、その表面に、図２に示すようにシボ加工を施していることが好ましい。
【００２５】  ルーバ５０は、ケース４０の側壁４６と開口部４２とをＺ軸負方向から覆う基端部５１と、基端部５１からＺ軸正方向に向けて庇状に突出する庇部５２と、基端部５１のＸ軸負方向における端部に設けられた第１延出部６１を有する。本実施の形態１では、第１延出部６１が基端部５１のＸ軸負方向における端部に設けられた例について説明するが、第１延出部６１は、基端部５１のＸ軸正方向における端部に設けられてもよい。
【００２６】  基端部５１は、Ｚ軸方向の厚さＴｈの平板状に形成されている。この基端部５１には、発光素子３０が配置される位置に対応して、複数の開口部５４が設けられている。  第１延出部６１は、基端部５１のＸ軸負方向における端部に設けられ、ケース４０の外面４１より外方まで延出している。また、第１延出部６１は、図２に示すように、基端部５１のＹ軸正方向における端部からＹ軸負方向における端部まで連続して延びている。本実施の形態１では、基端部５１のＺ軸方向の厚さＴｈが、第１延出部６１のＺ軸方向の厚さと同一である例を開示しているが、基端部５１のＺ軸方向の厚さＴｈと第１延出部６１のＺ軸方向の厚さは、それぞれ異なっていてもよい。
【００２７】  第１延出部６１は、射出成型によって基端部５１と一体成型することが好ましいが、基端部５１とは異なる材料を用いて作成した後、基端部５１に付加してもよい。また、第１延出部６１は、太陽光などの外光の反射率が低くなるように基端部５１と同一色である黒色の樹脂から作成することが好ましいが、基端部５１とは異なる色の樹脂から作成してもよい。また、第１延出部６１の表面に、シボ加工を施してもよい。
【００２８】  図４に、本実施の形態１にかかる表示装置１００をＹ軸正方向から見た上面図の一部を示す。同図４に示すように、隣接する２つの表示ユニット１０は、予め設計された隙間ＣＬ１を空けて配置されている。すなわち、２つの表示ユニット１０間には、取り付け作業および保守メンテナンス作業における作業効率を向上させるため、予め設計された隙間ＣＬ１が設けられている。
【００２９】  図５に、図４において破線枠Ｃにて示した領域を拡大して示した拡大上面図を示す。同図５に示される２つの表示ユニット１０は、一方の表示ユニット１０を構成するルーバ５０と、他方の表示ユニット１０を構成するルーバ５０が、Ｘ軸方向において互いに対向するように、隣接して配置されている。
【００３０】  また、隣接して配置される２つのルーバ５０は、一方のルーバ５０を構成する第１延出部６１と、他方のルーバ５０を構成する基端部５１が、Ｘ軸方向において互いに対向するように配置されている。
【００３１】  このように配置されることで、一方のルーバ５０に設けられた第１延出部６１が、隙間ＣＬ１の少なくとも一部を、Ｚ軸負方向から覆うこととなる。  また、同図５に示すように、隣接する２つのルーバのうち、一方のルーバ５０を構成する第１延出部６１と、他方のルーバ５０を構成する基端部５１との間には、隙間ＣＬ２が設けられている。
【００３２】  表示装置１００が設置された環境条件によっては、各表示ユニット１０を構成するルーバ５０が熱膨張する場合がある。このような熱膨張が発生すると、一方のルーバ５０を構成する第１延出部６１と、他方のルーバ５０を構成する基端部５１が接触し、破損してしまうおそれがある。この点、本実施の形態１によれば、互いに隣接する２つのルーバ５０のうち、一方のルーバ５０を構成する第１延出部６１と、他方のルーバ５０を構成する基端部５１は、隙間ＣＬ２を空けて配置されているため、ルーバ５０が熱膨張した場合であっても、互いに接触することを抑制することができる。
【００３３】  図６に、図１に示す表示装置１００において、任意の４つの表示ユニット１０がマトリクス状に配列された部分を、Ｚ軸負方向から見た正面図を一部拡大して示す。  図６に示すように、第１延出部６１は、基端部５１のＸ軸負方向における端部に設けられ、基端部５１のＹ軸正方向における端部から、Ｙ軸負方向における端部まで連続して延びている。このため、隣接する表示ユニット１０間に設けられる隙間ＣＬ１は、Ｙ軸正方向の端部からＹ軸負方向の端部にわたって、第１延出部６１により、少なくとも一部が覆われることとなる。
【００３４】  上述した本実施の形態１によれば、以下に示す効果を奏することができる。  （１）本実施の形態１によれば、Ｙ軸方向に延びる隙間ＣＬ１の少なくとも一部を第１延出部６１にて塞ぐことができるため、表示装置１００の内部に、隙間ＣＬ１を通じて異物が侵入すること、および隙間ＣＬ１を通じて外光が入射することを、従来よりも抑制することができる。このため、異物の侵入または外光の入射による表示装置１００の内部の部材の劣化を、従来よりも抑制することができる。
【００３５】  （２）支持フレーム２００は、金属材料で作成されているため、外光を反射しやすい。このため、隣接する表示ユニット１０間に設けられる隙間ＣＬ１を通じて表示装置１００の内部に入射した外光が支持フレーム２００に到達すると、この外光は、支持フレーム２００にて反射し、反射光として表示装置１００から出射してしまう。この点、本実施の形態１によれば、隙間ＣＬ１に外光が入射することを従来よりも抑制することができるため、反射光の発生を従来よりも抑制することができる。
【００３６】  （３）本実施の形態１では、隣接する２つのルーバ５０は、一方のルーバ５０を構成する第１延出部６１と、他方のルーバ５０を構成する基端部５１との間に隙間ＣＬ２が空くように配置される。このため、ルーバ５０が熱膨張した場合であっても、一方のルーバ５０を構成する第１延出部６１と、他方のルーバ５０を構成する基端部５１が接触することを抑制することができる。このため、熱膨張による破損を抑制することができる。
【００３７】  （実施の形態２）  実施の形態２の表示ユニット１０と表示装置１００について、先の図１の他、更に図７〜図１１を併せ参照して説明する。なお、特に断りの無い場合、同一符号は同一の構成を示すことによりその詳細な説明を適宜割愛する。
【００３８】  図７に示すように、本実施の形態２にかかる表示ユニット１０を構成するルーバ５０は、基端部５１のＸ軸負方向における端部に設けられた第１延出部６１と、基端部５１のＸ軸正方向における端部に設けられた第２延出部６２を有する。第１延出部６１および第２延出部６２は、いずれも、基端部５１のＹ軸正方向における端部からＹ軸負方向における端部まで連続して延びている。
【００３９】  図８に、図７のＤ−Ｄ線断面図を示す。同図８に示すように、第１延出部６１は基端部５１のＸ軸負方向における端部に設けられ、第２延出部６２は基端部５１のＸ軸正方向における端部に設けられる。また、第１延出部６１と第２延出部６２は、Ｚ軸方向（特許請求の範囲における「基端部の厚さ方向」に相当）において互いに異なる位置に設けられている。すなわち、第１延出部６１と第２延出部６２は、Ｚ軸方向において、互いに重ならない位置に設けられている。
【００４０】  図９に、本発明の実施の形態２にかかる表示装置１００をＹ軸正方向から見た上面図の一部を示す。同図９に示すように、隣接する２つの表示ユニット１０は、予め設計された隙間ＣＬ１を空けて配置されている。
【００４１】  図１０に、図９において破線枠Ｅにて示した領域を拡大して示した拡大上面図を示す。同図１０に示すように、隣接する２つの表示ユニット１０は、一方の表示ユニット１０を構成するルーバ５０と、他方の表示ユニット１０を構成するルーバ５０が、Ｘ軸方向およびＺ軸方向において互いに対向するように配置されている。
【００４２】  具体的に説明すると、互いに隣接する２つのルーバ５０は、一方のルーバ５０を構成する第１延出部６１が、他方のルーバ５０を構成する基端部５１とＸ軸方向において対向するように配置されている。また、この互いに隣接する２つのルーバ５０のうち、一方のルーバ５０を構成する第１延出部６１は、Ｚ軸方向において、他方のルーバ５０を構成する第２延出部６２と対向するように配置されている。
【００４３】  さらに、互いに隣接する２つのルーバ５０のうち、一方のルーバ５０を構成する第２延出部６２が、他方のルーバ５０を構成する基端部５１とＸ軸方向において対向するように配置されている。  このように配置されることで、第１延出部６１と第２延出部６２によって、隙間ＣＬ１がＺ軸負方向から覆われることとなる。
【００４４】  また、本実施の形態２では、互いに隣接する２つのルーバ５０のうち、一方のルーバ５０を構成する第１延出部６１と、他方のルーバ５０を構成する第２延出部６２とが、Ｚ軸方向において隙間ＣＬ３を空けて対向するように配置されている。また、互いに隣接する２つのルーバ５０のうち、一方のルーバ５０を構成する第１延出部６１と、他方のルーバ５０を構成する基端部５１とが、Ｘ軸方向において、隙間ＣＬ２を空けて対向するように配置されている。さらに、互いに隣接する２つのルーバ５０のうち、一方のルーバ５０を構成する第２延出部６２と、他方のルーバ５０を構成する基端部５１とが、Ｘ軸方向において、隙間ＣＬ２を空けて対向するように配置されている。
【００４５】  図１１に、図１に示す表示装置１００において、本実施の形態２にかかる任意の４つの表示ユニット１０がマトリクス状に配列された部分を、Ｚ軸負方向から見た正面図を一部拡大して示す。  上述したように、第１延出部６１および第２延出部６２は、基端部５１のＹ軸正方向における端部からＹ軸負方向における端部まで連続して延びている。このため、Ｙ軸方向に延びる隙間ＣＬ１は、基端部５１のＹ軸正方向における端部からＹ軸負方向における端部まで、第１延出部６１および第２延出部６２により覆われる。
【００４６】  上述した本実施の形態２によれば、上記実施の形態１にて説明した効果（１）〜（３）に加え、以下に示す効果を奏することができる。  （４）本実施の形態２では、第１延出部６１と第２延出部６２が基端部５１の対向する２辺に、基端部５１の厚さ方向において互いに異なる位置に設けられるため、第１延出部６１と第２延出部６２がＺ軸方向において対向するように配置することができる。このため、Ｙ軸方向に延びる隙間ＣＬ１を、第１延出部６１と第２延出部６２の双方によって塞ぐことができる。したがって、隙間ＣＬ１への異物の侵入または太陽光の入射を、従来よりも、より効果的に抑制することができる。
【００４７】  （５）本実施の形態２では、第１延出部６１と第２延出部６２は、Ｚ軸方向において隙間ＣＬ３を空けて対向している。また、第１延出部６１は、隣接するルーバ５０の基端部５１と、Ｘ軸方向において隙間ＣＬ２を空けて対向している。同様に、第２延出部６２も、隣接するルーバ５０の基端部５１と、Ｘ軸方向において隙間ＣＬ２を空けて対向している。このため、ルーバ５０が熱膨張した場合であっても、第１延出部６１と第２延出部６２が接触することを抑制することができる。また、第１延出部６１または第２延出部６２が隣接するルーバ５０の基端部５１と接触することを抑制することができる。したがって、熱膨張による破損の発生を抑制することができる。
【００４８】  （実施の形態３）  実施の形態３の表示ユニット１０と表示装置１００について、先の図１の他、更に図１２〜図１４を併せ参照して説明する。なお、特に断りの無い場合、同一符号は同一の構成を示すことによりその詳細な説明を適宜割愛する。
【００４９】  図１２に示すように、本実施の形態３にかかる表示ユニット１０では、ルーバ５０は、基端部５１のＹ軸負方向における端部に設けられた第３延出部６３を有する。第３延出部６３は、Ｘ軸負方向における端部からＸ軸正方向における端部まで連続して延びている。
【００５０】  図１３に、図１に示す表示装置１００において、本実施の形態３にかかる任意の４つの表示ユニット１０がマトリクス状に配列された部分を、Ｚ軸負方向から見た正面図を一部拡大して示す。  同図１３に示すように、本実施の形態３においては、第３延出部６３が、基端部５１のＹ軸負方向に位置するように支持フレーム２００に取り付けられる。すなわち、本実施の形態３においては、第３延出部６３が、基端部５１の鉛直方向下方に位置するように配置されている。また、上述したように、第３延出部６３は、基端部５１のＸ軸正方向における端部からＸ軸負方向における端部まで連続して延びている。
【００５１】  図１４（ａ）および（ｂ）に、説明のため、従来の表示ユニット３０１をマトリクス状に配列して構成される従来の表示装置３００の斜視図を示す。同図１４（ａ）および（ｂ）に示すように、従来の表示装置３００では、隣接する表示ユニット３０１間に、Ｘ軸方向に延びる隙間ＣＬＸとＹ軸方向に延びる隙間ＣＬＹが設けられる。
【００５２】  図１４（ａ）に矢印Ｆにて示すように、Ｚ軸負方向から表示装置３００を視認すると、隙間ＣＬＸおよび隙間ＣＬＹのいずれも視認され得る。しかし、矢印Ｇにて示すように、Ｘ軸方向にずれた位置から表示装置３０１を視認する場合は、Ｚ軸負方向から表示装置３００を視認する場合よりも、Ｙ軸方向に延びる隙間ＣＬＹを視認し難くなる。隙間ＣＬＹがルーバ５０に遮られるためである。これに対して、Ｘ軸方向に延びる隙間ＣＬＸは、ルーバ５０によって遮られないため、Ｘ軸方向にずれた位置からであっても視認され得る。
【００５３】  同様に、図１４（ｂ）に矢印Ｈにて示すように、Ｙ軸方向にずれた位置から表示装置３００を視認する場合は、Ｚ軸負方向から表示装置３００を視認する場合よりも、Ｘ軸方向に延びる隙間ＣＬＸを視認し難くなる。隙間ＣＬＸがルーバ５０に遮られるためである。これに対して、Ｙ軸方向に延びる隙間ＣＬＹは、ルーバ５０によって遮られないため、Ｙ軸方向にずれた位置からであっても容易に視認され得る。
【００５４】  一般に、表示装置３００は、Ｙ軸方向にずれた位置から視認される場合より、Ｘ軸方向にずれた位置から視認される場合の方が多い。このため、Ｙ軸方向に延びる隙間ＣＬＹより、Ｘ軸方向に延びる隙間ＣＬＸの方が、より多くの観者に視認される可能性が高い。すなわち、外光が表示装置３００の内部に入射し、反射光として隙間ＣＬＸまたは隙間ＣＬＹを通じて外部に出射した場合、隙間ＣＬＹを通じて外部に出射された反射光より、隙間ＣＬＸを通じて外部に出射された反射光の方が、より多くの観者に視認される可能性がある。
【００５５】  この点、本実施の形態３によれば、第３延出部６３はＹ軸負方向における端部に設けられているため、隙間ＣＬＸに相当する隙間の少なくとも一部をＺ軸負方向から覆うこととなる。換言すると、第３延出部６３は、本実施の形態３にかかる表示装置１００に設けられる隙間ＣＬ１のうち、Ｘ軸方向に延びる隙間ＣＬ１の少なくとも一部をＺ軸負方向から覆うこととなる。したがって、反射光が視認される可能性をより好適に抑制することができる。
【００５６】  上述した上記実施の形態３によれば、上記実施の形態１および上記実施の形態２にて説明した効果（１）〜（５）に加え、以下に示す効果を奏することができる。  （６）本実施の形態３によれば、基端部５１のＹ軸負方向における端部に第３延出部６３が配置されるため、反射光が視認される可能性をより好適に抑制することができる。
【００５７】  （実施の形態４）  実施の形態４の表示ユニット１０と表示装置１００について、先の図１の他、更に図１５および図１６を併せ参照して説明する。なお、特に断りの無い場合、同一符号は同一の構成を示すことによりその詳細な説明を適宜割愛する。
【００５８】  図１５に示すように、本実施の形態４にかかる表示ユニット１０を構成するルーバ５０は、Ｘ軸負方向における端部に設けられた第１延出部６１と、Ｙ軸負方向における端部に設けられた第３延出部６３を有する。第１延出部６１は、基端部５１のＹ軸負方向における端部からＹ軸正方向における端部まで連続して延びており、第３延出部６３は、基端部５１のＸ軸負方向における端部からＸ軸正方向における端部まで連続して延びている。
【００５９】  図１６に、図１に示す表示装置１００において、本実施の形態４にかかる任意の４つの表示ユニット１０がマトリクス状に配列された部分を、Ｚ軸負方向から見た正面図を一部拡大して示す。
【００６０】  上述したように、第１延出部６１は基端部５１のＹ軸正方向における端部からＹ軸負方向における端部まで連続して延びており、第３延出部６３は基端部５１のＸ軸正方向における端部からＸ軸負方向における端部まで連続して延びている。このため、隣接する表示ユニット１０間に設けられる隙間ＣＬ１のうち、Ｘ軸方向に延びる隙間ＣＬ１、およびＹ軸方向に延びる隙間ＣＬ１のいずれも、少なくとも一部が、Ｚ軸負方向から覆われることとなる。
【００６１】  上述した上記実施の形態４によれば、上記実施の形態１〜３にて説明した効果（１）〜（６）に加え、以下に示す効果を奏することができる。  （７）本実施の形態４によれば、Ｘ軸方向に延びる隙間ＣＬ１およびＹ軸方向に延びる隙間ＣＬ１のいずれも、少なくとも一部が、第１延出部６１および第３延出部６３により、Ｚ軸負方向から覆われることとなる。このため、より好適に、表示装置１００の内部への異物の侵入および外光の入射を従来よりも抑制することができる。
【００６２】（その他の実施の形態）
【００６３】  ・上記実施の形態３では、第３延出部６３がＹ軸負方向における端部に設けられるようにしたが、本発明はこれに限られるものではなく、図１７に示すように、Ｙ軸正方向における端部に第４延出部６４を設けてもよい。
【００６４】  ・上記変形例においては、Ｙ軸負方向における端部に設けられた第３延出部６３と、Ｙ軸正方向における端部に設けられた第４延出部６４とは、Ｚ軸方向において互いに重ならない位置に設けられることが好ましい。また、本変形例における表示ユニット１０を表示装置１００に取り付ける場合、第３延出部６３または第４延出部６４と、隣接するルーバ５０を構成する基端部５１との間に隙間ＣＬ２が設けられることが好ましい。
【００６５】  ・上記変形例では、ルーバ５０に、第３延出部６３と第４延出部６４を設けるようにしたが、第３延出部６３を省略することもできる。すなわち、基端部５１の鉛直方向下方に設けられる第３延出部６３を省略し、基端部５１の鉛直方向上方に第４延出部６４を設けてもよい。
【００６６】  ・図１８に示すように、実施の形態１にて説明した第１延出部６１の形状を、基端部５１から離れるにつれて細くなるテーパ形状としてもよい。また、図示はしないが、上記各実施の形態または上記各変形例にて説明した第２延出部６２、第３延出部６３または第４延出部６４の形状についても、基端部５１から離れるにつれて細くなるテーパ形状としてもよい。
【００６７】  ・図１９に示すように、第１延出部６１および第２延出部６２の形状を基端部５１から離れるにつれて細くなるテーパ形状とし、これら第１延出部６１と第２延出部６２がＺ軸方向において互いに対向するように配置してもよい。この場合、第１延出部６１と第２延出部６２が、Ｚ軸方向において隙間ＣＬ３を空けて対向していることが好ましい。
【００６８】  ・第３延出部６３および第４延出部６４の形状を、基端部５１から離れるにつれて細くなるテーパ形状とし、これら第３延出部６３と第４延出部６４がＺ軸方向において互いに対向するように配置してもよい。この場合、第３延出部６３と第４延出部６４が、Ｚ軸方向において隙間ＣＬ３を空けて対向していることが好ましい。
【００６９】  ・図２０に示すように、第１延出部６１の形状を円弧状とすることもできる。なお、図示はしないが、第２延出部６２、第３延出部６３、または第４延出部６４の形状を円弧状とすることもできる。
【００７０】  ・上記実施の形態１では、第１延出部６１と、隣接するルーバ５０の基端部５１との間に隙間ＣＬ２が空くようにしたが、本発明はこれに限られるものではない。例えば、第１延出部６１と、隣接するルーバ５０の基端部５１との間に隙間ＣＬ２が空かないように配置することもできる。すなわち、第１延出部６１と、隣接するルーバ５０の基端部５１が接触するように配置することもできる。
【００７１】  ・上記各実施の形態２〜４および上記各変形例において、第２延出部６２と隣接するルーバ５０の基端部５１との間、または第３延出部６３と隣接するルーバ５０の基端部５１との間、または第４延出部６４と隣接するルーバ５０の基端部５１との間に隙間ＣＬ２が設けられないようにしてもよい。すなわち、第２延出部６２が隣接するルーバ５０の基端部５１と接触するように配置することもできる。同様に、第３延出部６３が隣接するルーバ５０の基端部５１と接触するように配置することもできる。同様に、第４延出部６４が隣接するルーバ５０の基端部５１と接触するように配置することもできる。
【００７２】  ・上記実施の形態２では、第１延出部６１と第２延出部６２が隙間ＣＬ３を空けて配置されるようにしたが、本発明はこれに限られるものではない。例えば、第１延出部６１と第２延出部６２を、隙間ＣＬ３が空かないように配置することもできる。すなわち、第１延出部６１と第２延出部６２が互いに接触するように配置することもできる。
【００７３】  ・上記各変形例では、第３延出部６３と第４延出部６４が隙間ＣＬ３を空けて配置されるようにしたが、本発明はこれに限られるものではない。例えば、第３延出部６３と第４延出部６４との間に隙間ＣＬ３が設けられないようにしてもよい。すなわち、第３延出部６３と第４延出部６４が互いに接触するように配置してもよい。
【００７４】  ・ルーバ５０は、第１延出部６１、第２延出部６２、第３延出部６３および第４延出部６４の全てを備える構成としてもよい。
【００７５】  ・表示装置１００は、１つの表示ユニット１０から構成されてもよい。
【００７６】  ・実施の形態１〜４または上記各変形例にて説明した隙間ＣＬ２またはＣＬ３に透明樹脂等の部材を充填してもよい。本変形例によれば、表示装置１００の内部への異物の侵入をより好適に抑制することができる。透明樹脂としては、撥水性のあるものが好ましい。
【００７７】  ・実施の形態１〜４では、ケース４０は、ポリカーボネート樹脂またはアクリル樹脂等の樹脂材料から作成するようにしたが、本発明はこれに限られるものではなく、ケース４０をアルミニウム合金またはマグネシウム合金等の金属材料から作成してもよい。
【００７８】  ・実施の形態１〜４では、発光素子３０として、３ｉｎ１型の表面実装型のＬＥＤ素子を用いたが、本発明はこれに限られるものではなく、発光素子３０として、１ｉｎ１型のＬＥＤ素子、または砲弾型のＬＥＤ素子を用いてもよい。
【００７９】  ・支持フレーム２００は、風荷重を低減するため、梁２１０を省略して柱２２０のみで構成することもできる。または、柱２２０を省略して梁２１０のみで構成することもできる。
【符号の説明】
【００８０】  １０  表示ユニット、２０  回路基板、２２  実装面、２３  充填剤、３０  発光素子、４０  ケース、４１  外面、４２  開口部、４５  底部、４６  側壁、４７  内面、  ５０  ルーバ、５１  基端部、５２  庇部、５４  開口部、６１  第１延出部、６２  第２延出部、６３  第３延出部、６４  第４延出部、１００  表示装置、２００  支持フレーム、２１０  梁、２２０  柱。
【図１】
2019186795.tif 000003
【図２】
2019186795.tif 000004
【図３】
2019186795.tif 000005
【図４】
2019186795.tif 000006
【図５】
2019186795.tif 000007
【図６】
2019186795.tif 000008
【図７】
2019186795.tif 000009
【図８】
2019186795.tif 000010
【図９】
2019186795.tif 000011
【図１０】
2019186795.tif 000012
【図１１】
2019186795.tif 000013
【図１２】
2019186795.tif 000014
【図１３】
2019186795.tif 000015
【図１４】
2019186795.tif 000016
【図１５】
2019186795.tif 000017
【図１６】
2019186795.tif 000018
【図１７】
2019186795.tif 000019
【図１８】
2019186795.tif 000020
【図１９】
2019186795.tif 000021
【図２０】
2019186795.tif 000022
【国際調査報告】
2019186795.tif 000023
2019186795.tif 000024
2019186795.tif 000025
2019186795.tif 000026